(57)【特許請求の範囲】
【請求項１】
自動改札機の本体の投入口に投入された磁気券に記録されているデータを基に入出場の演算処理を行う磁気券処理部、及びその自動改札機の本体に設けられている通信エリアに接近されたときの交信により得られた非接触券に記録されているデータを基に入出場の演算処理を行う非接触券処理部を備えた自動改札機において、
前記自動改札機の本体の投入口に前記磁気券が投入されることなく前記通信エリアに接近された前記非接触券に記録されているデータを基にした演算処理の結果が当該非接触券のデータのみでは入出場条件を満たさないと判定したときに、その投入口への磁気券の投入を禁止する禁止手段と、
前記投入口への磁気券の投入が禁止されたときに、磁気券を前記投入口に先に投入し、その後に非接触券を通信エリアに接近させるようにとの案内を行う案内手段と、
を設けたことを特徴とする自動改札機。
【発明の詳細な説明】
【０００１】
【発明の属する技術分野】
本発明は、自動改札機に係り、特に、磁気券と非接触券とを混在させて使用することができるようにしたものに関する。
【０００２】
【従来の技術】
現在、多用されている自動改札機は、自動改札機の本体（以下、「本体」という）に所定の入出場のデ−タが磁気的に記録されている乗車券や定期券等の磁気券が投入されると、その磁気券に記録されている入出場デ−タが読取られる。そして、本体では、その読取られた入出場デ−タを基に演算処理し、その演算結果に基づいて入場又は出場処理するとともに、磁気券にその演算結果である入場又は出場のデ−タを書込むようにしている。
【０００３】
また、近年、上述の磁気券投入型の自動改札機は、定期券利用者が改札口を通過するたびに、定期券を定期券入れから出し入れしなければならないという不便があるので、これを解決するために、定期券を通信機能を備えたＩＣカ−ド型の非接触式の情報記録媒体である非接触券とし、その非接触券と本体との間で非接触的に出改札デ−タの授受を行ない、本体に定期券を挿入することなく自動改札を行なう非接触型の自動改札機が提案されている（例えば、特開平１−２４６６８７号公報）。
【０００４】
しかしながら、上記従来の磁気券投入型の自動改札機が、将来、非接触型の自動改札機に変換されたとしても、その変換を一度に行うことは不可能であり、また、一回限りの普通乗車券等は、コストの安い磁気券が有利であるので、自動改札機を磁気券投入型と非接触型の２種類設置しなければならず、設置面積を広く必要とするとともに、設備コストが高くなる欠点が生ずる。このような欠点を解決するために、例えば、特開昭６１−２５２８８号公報に示されるように、一つの本体で磁気券も非接触券も処理できる自動改札機が提案されている。
【０００５】
【発明が解決しようとする課題】
ところで、磁気券と非接触券とを一つの本体で処理できるようにした場合においても、特急券と普通券、あるいは降車券と前途券のように、一人の利用者（旅客）の入出場処理（入場処理又は出場処理を意味している。）に複数枚の乗車券を処理する複数枚対応型の自動改札機として使用することが考えられる。
【０００６】
上述のように、複数枚の乗車券を必要とする場合において、一方の乗車券が磁気券で他方の乗車券が非接触券のときが考えられる。このように、磁気券と非接触券とが混在して用いられる乗車券を処理できる改札機としては、特開平８−８３３６８号公報等により提案されている。
【０００７】
しかしながら、上記提案に係る混在の乗車券（本発明で単に乗車券というときは、磁気券も非接触券をも意味している。）を処理できる自動改札機においては、混在する乗車券で入出場が許可できるときに、それら乗車券に対する入出場データの記録が必要となるが、このデータの記録についての課題が解決されていなかった。
【０００８】
すなわち、一人の利用者の入出場処理が磁気券と非接触券とで可能な場合、例えば、非接触券を本体のアンテナにかざした後に、磁気券が投入されたとき、非接触券がアンテナの交信範囲外にあるときは、非接触券へのデータの書込みができなくなり、その後の非接触券の使用に支障を来すなどの欠点が生じてしまう。
【０００９】
そこで、本発明は、上記欠点を解決するためになされたものであって、その目的は、一人の利用客が磁気券と非接触券とを混在して使用したときに、乗車券に正確にデータを記録できるようにした自動改札機を提供することにある。
【００１０】
【課題を解決するための手段】
本発明に係る自動改札機は、上記目的を達成するために、本体の投入口に投入された磁気券に記録されているデータを基に入出場の演算処理を行う磁気券処理部、及びその本体に設けられている通信エリアに接近されたときの交信により得られた非接触券に記録されているデータを基に入出場の演算処理を行う非接触券処理部を備えた自動改札機において、前記本体の投入口に前記磁気券が投入されることなく前記通信エリアに接近された前記非接触券に記録されているデータを基にした演算処理の結果が当該非接触券のデータのみでは入出場条件を満たさないと判定したときに、その投入口への磁気券の投入を禁止する禁止手段と、前記投入口への磁気券の投入が禁止されたときに、磁気券を前記投入口に先に投入し、その後に非接触券を通信エリアに接近させるようにとの案内を行う案内手段と、を設けたことを特徴としている。
【００１１】
【発明の実施の形態】
以下、本発明の実施の形態を図面に基づいて説明する。図１は、一実施の形態に係る自動改札機の概略構成図であって、その本体ａの投入口１と取出口２の間には、順に、投入口１に投入された磁気券Ｃ1を取込むとともに、その取込んだ磁気券Ｃ1の搬送姿勢を整える整列搬送路Ｌ1と、磁気券Ｃ1に記録されている磁気データを読取るための磁気ヘッドＨ1、この磁気ヘッドＨ1で読取った磁気データをマイクロコンピュータを中心に構成された制御器ｂで演算処理し、その演算結果を書込むための磁気ヘッドＨ2、及びそのデータの書込みが正常に行なわれたか否かを読取るためのベリファイ用の磁気ヘッドＨ3を有する主搬送路Ｌ2と、磁気券Ｃ1を取出口２に排出させる排出搬送路Ｌ3とが設けられている。これら各搬送路Ｌ1，Ｌ2，Ｌ3は、モータＭにより駆動されるように構成されている。また、図１中、４は、図示しないソレノイドで駆動されるシャッタであって、投入口１を開閉できるように構成されている。また、５は、図示しないソレノイドで駆動される保留部であって、磁気ヘッドＨ1と磁気ヘッドＨ2との間の主搬送路Ｌ2に設けられていて、主搬送路Ｌ2で搬送される磁気券Ｃ1を一時保留することができるように構成されている。
【００１２】
図１中、６は、取出口２に隣接して設けられた表示画面であり、また、７は、スピーカであり、これらを介して利用者（旅客）に文字及び音声により所定の内容の案内を行うことができるように構成されている。
【００１３】
なお、本体ａ内には、投入された磁気券Ｃ1 を図示しない回収箱に回収する回収搬送路が主搬送路Ｌ2 と排出搬送路Ｌ3 との間に設けられているが、ここでは省略されている。また、主搬送路Ｌ2 に設けられている各磁気ヘッドＨ1 ，Ｈ2 ，Ｈ3 は、投入口１に磁気券Ｃ1 が表面（乗車区間等の印字されている面）を上にして投入されたときの分しか示されていないが、裏面を上にして投入された磁気券Ｃ1 を処理する分の磁気ヘッドは、ここでは省略されている。
【００１４】
図１中、Ｄは、本体ａの側面に設けられ、制御器ｂの演算結果に基づいて改札通路イの通過を許可したり、阻止したりするように開閉されるドアであり、また、図示しないが、本体ａ内には、本体ａ内に取込まれた磁気券Ｃ1にパンチングするパンチングユニットや、磁気券Ｃ1に所定の内容を印字する印字ユニットが設けられているが、ここでは、図面を簡略化するために省略されている。
【００１５】
本体ａの上面の手前側（利用者の進入側）には、利用者が所持する非接触券Ｃ2 との間で無線通信によりデータの授受を行うためのアンテナ３が設けられている。このアンテナ３を中心にして、本体ａと非接触券Ｃ2 との間でデータ授受が行われる所定範囲が通信エリアに形成されている。
【００１６】
図１中、Ｓ，Ｓ…は、隣接する本体（図示せず）との間に形成される改札通路イにおける利用者位置、つまり改札通路イへの利用者の進入又は改札通路イからの退出、あるいは通過を検知するための人間位置検知器であり、本体ａの側面及びアームａ′に取付けられている。
【００１７】
図２は、本体ａ及び非接触券Ｃ2の電気的構成である。先ず、本体ａ側から説明すると、制御器ｂの中央処理部（ＣＰＵ）１０は、ＲＯＭ１１に格納されているプログラムデータとＲＡＭ１２に格納されているワ−キングデータとを用いて演算制御処理を行もので、このＣＰＵ１０には、Ｉ／Ｏユニット１３を介して各磁気ヘッドＨ1〜Ｈ3を制御する磁気ヘッド制御部ｈと、ドアＤを駆動するドアドライバ１６と、表示画面６を介して利用者への伝言を表示するための表示ドライバ１８と、人間位置検知器Ｓ，Ｓからの検出信号を取り入れるセンサドライバ１９と、スピーカ７を駆動する音声ドライバ２０と、シャッタ４及び保留部５の各ソレノイドを駆動するソレノイドドライバ２１と、非接触券Ｃ2との間でデータ送受を行う通信制御部（トランスミッタ）２２とが接続されている。なお、Ｉ／Ｏユニット１３には、モータＭを回転駆動するドライバ等が接続されているが、ここでは省略されている。
【００１８】
通信制御部２２は、制御器ｂからの制御に基づき、周知の非接触型の自動改札機と同じく、アンテナ３を介して本体ａから非接触券Ｃ2 に駅名及び当日日付等のデータを送信するとともに、非接触券Ｃ2 から送信されてくる電波を受信する機能を有している。なお、本体ａと非接触券Ｃ2 との間の通信方式には、上述の電波方式に限らず、光通信方式、電磁結合方式あるいは電磁誘導方式等を採用することもできる。
【００１９】
次に、非接触券Ｃ2 の電気的構成を説明する。この非接触券Ｃ2 は、通信機能を有する通常のＩＣカードと同様に、アンテナ３０と、本体ａの通信制御部２２と同様の機能を有する通信制御部３１と、Ｉ／Ｏユニット３２と、ＣＰＵ３３と、ＲＯＭ及びＲＡＭからなるメモリ３４と、電源３５とを有している。なお、電源３５は、非接触券Ｃ2 の内部に持たずに、本体ａから供給される電力波を受信して電源とするようにしてもよい。
【００２０】
以下、図３のフローチャートを用いて制御動作について説明する。今、磁気券Ｃ1 及び非接触券Ｃ2 を所持している利用者が本体ａを用いて改札通路イを通過しようとしているものとする。なお、説明を簡単にするために、磁気券Ｃ1 及び非接触券Ｃ2 は、有効期間等の条件を満たす有効券として説明する。
【００２１】
磁気券Ｃ1 が非接触券Ｃ2 がアンテナ３にかざされる前に投入口１に投入されると（ステップ１００肯定。以下、ステップを「Ｓ」とする。）、その磁気券Ｃ1 に記録されているデータを基にＣＰＵ１０により演算処理が行われ、その演算処理の結果、入出場が許可できれば、すなわち、磁気券Ｃ1 のみで入出場条件を満たしているときは、その磁気券Ｃ1 のみでの入出場が許可される（Ｓ１０２、Ｓ１０４肯定）。
【００２２】
ところで、入出場の条件が先に投入された磁気券Ｃ1 と利用者の所持している非接触券Ｃ2 とで満たされる場合は（Ｓ１０４否定）、その先に投入された磁気券Ｃ1 は、保留部５で一時保留されて非接触券Ｃ2 の処理待ちとされる（Ｓ１０６否定）。このとき、非接触券Ｃ2 がアンテナ３にかざされると（Ｓ１０６肯定）、本体ａと非接触券Ｃ2 との間でデータ授受が行われ（Ｓ１０８）、磁気券Ｃ1 と非接触券Ｃ2 とで入出場の条件が満たされて入出場が許可される。したがって、保留部５に一時保留されていた磁気券Ｃ1 に対して磁気ヘッドＨ1 を介して入出場用のデータが書込まれ、また、非接触券Ｃ2 にも上述のデータ授受の際（Ｓ１０８）、入出場データが書込まれる。そして、ドアＤが開かれて（本体ａがノーマルオープン型のときはそのまま）、改札通路イの通過が許可される。
【００２３】
投入口１に磁気券Ｃ1 が投入されることなく非接触券Ｃ2 がアンテナ３にかざされて本体ａと非接触券Ｃ2 との間でデータ授受が行われた場合（Ｓ１００否定、Ｓ１１０肯定、Ｓ１１２）、その非接触券Ｃ2 のみで入出場の条件が満たされれば（Ｓ１１４肯定）、その非接触券Ｃ2 のみで入出場が許可される。
【００２４】
他方、アンテナ３にかざされた非接触券Ｃ2 のみでは入出場の条件を満たさないときは（Ｓ１１４否定）、投入口１はシャッタ４により閉じられて磁気券Ｃ1 の投入が禁止され（Ｓ１１６）、表示画面６及びスピーカ７を介して磁気券Ｃ1 を投入口１に先に投入し、その後に非接触券Ｃ2 をアンテナ３にかざすようにとの案内が行われる（Ｓ１１８）。もちろん、この場合は、ドアＤが閉じられて改札通路イの通過は阻止されるとともに、非接触券Ｃ2 にデータ授受の際、入出場の条件が満たされないので、入出場のデータの書込みは行われない。なお、案内は、表示画面６又はスピーカ７のいずれか一方で行うようにしてもよい。
【００２５】
なお、上述の例では、乗車券に書込むデータとして入出場のデータを示したが、乗車券がＳＦデータを有しているときは、入出場のデータの書込み以外に減額処理が行われる。
【００２６】
【発明の効果】
本発明に係る自動改札機は、本体の投入口に磁気券が投入されることなく通信エリアに接近された非接触券に記録されているデータを基にした演算処理の結果が非接触券のデータのみでは入出場条件を満たさないと判定したときに、その投入口への磁気券の投入を禁止すると共に、磁気券を投入口に先に投入し、次いで、非接触券を通信エリアに接近させるようにとの案内を行うようにしたので、一人の利用客が磁気券と非接触券とを混在して使用するときでも、乗車券に対して正確に入出場のデータを記録することができる。
【図面の簡単な説明】
【図１】本発明の一実施の形態に係る自動改札機の概略構成図である。
【図２】本体及び非接触券の電気的構成を示すブロック図である。
【図３】制御動作を示すフローチャートである。
【符号の説明】
ａ  自動改札機の本体（本体）
Ｃ1   磁気券
Ｃ2   非接触券
ｂ  制御器
Ｈ1 〜Ｈ3   磁気ヘッド
Ｌ1   整列搬送路
Ｌ2   主搬送路
Ｌ3   排出搬送路
Ｄ  ドア
Ｍ  モータ
１  投入口
２  取出口
３  アンテナ
４  シャッタ
５  保留部
６  表示画面
７  スピーカ
【図１】
0004267744.tif 000002
【図２】
0004267744.tif 000003
【図３】
0004267744.tif 000004